(57)【特許請求の範囲】
【請求項１】
注射器本体、溶媒瓶、注射針、第１のプレス機構、それに第２のプレス機構を備える、注射用パウダーを自動的に混合する機械であって、注射器本体は溶質瓶を備え、前記溶質瓶の瓶口は前記溶媒瓶の瓶口と対応し、
溶媒瓶を制御して溶質瓶の方へスライドさせるために、前記第１のプレス機構が溶媒瓶の上に設置され、
前記第２のプレス機構は、前記溶媒瓶の瓶口と前記溶質瓶の瓶口の間に位置し、上下に配置された第２のプレススリーブと第１のプレススリーブとを備え、
前記第１のプレス機構が溶媒瓶をプレスすることによって、前記第１のプレススリーブを第２のプレススリーブとともにまず溶質瓶の方へスライドさせ、前記注射針が固定された針カバーを前記注射器本体の針カバーの停止点に埋め込んで固定し、前記注射針の第１端を溶質瓶内へ貫通させてから、前記溶媒瓶によって第１のプレススリーブを第２のプレススリーブに対して回転させて、第２のプレススリーブを第１のプレススリーブに対してスライドさせ、前記注射針の第２端を前記溶媒瓶内へ貫通させることを特徴とする、注射用パウダーを自動的に混合する機械。
【請求項２】
前記第２のプレススリーブの底面は下へ突き出て、落下部が設置され、前記第１のプレススリーブの上面は上へ突き出て、転向部が設置され、前記落下部を入れるために、前記上面は下へ凹んで、急降溝が設置され、スライド移動を回転運動にチェンジするため、前記落下部は前記転向部と組み合わせて、転向機構になり、前記落下部は前記転向部の上にもたれ、または回転してから前記急降溝に下ろし、前記第２のプレススリーブを前記第１のプレススリーブに対してスライドさせるようにしたことを特徴とする請求項１に記載の注射用パウダーを自動的に混合する機械。
【請求項３】
前記第１のプレス機構には一つの弾性体と一つのスイッチ機構があり、前記スイッチ機構は前記弾性体を制御して、弾性力を放出し、前記弾性力によって、前記溶媒瓶を前記溶質瓶の方へスライドさせるようにしたことを特徴とする請求項２に記載の注射用パウダーを自動的に混合する機械。
【請求項４】
前記溶媒瓶の外側を溶媒瓶スリーブにスライドして挿入し、前記溶媒瓶スリーブの中また前記溶媒瓶の上には一つのスプリングスリーブがスライドして設置され、前記スプリングスリーブの上面には固定板が設置され、
スイッチ機構には固定板に設置された一つのロック用貫通溝と、前記スプリングスリーブを通した一つのプレスバーが設置され、前記プレスバーの底面が前記溶媒瓶のうえにもたれ、その上部の側面は凹んで、スイッチ溝が設置されるが、その下部は外へ突き出て、凸環が設置され、前記プレスバーは弾性体とスリーブ接続し、前記凸環と固定板の間に設置され、
エネルギーを貯蔵するため、前記プレスバーのスイッチ溝が前記スプリングスリーブのロック用貫通溝にうめこまれ、プレスバーを回転し、前記スイッチ溝は前記ロック用貫通溝から取り外させ、弾性力を放出するようにしたことを特徴とする請求項２に記載の注射用パウダーを自動的に混合する機械。
【請求項５】
前記スイッチ機構にはまた一つのノブがあり、前記ノブはプレスバーの上面と回転できないように接合し、前記ノブの底面には上斜面が突き出て、前記スプリングスリーブの上面には下斜面が突き出て、それに、前記ノブの上斜面は前記スプリングスリーブの下斜面と吻合し、その上に位置するようにしたことを特徴とする請求項４に記載の注射用パウダーを自動的に混合する機械。
【請求項６】
前記溶媒瓶スリーブの上面はスリーブカバーと着脱自在に接続し、前記ノブの上部は回転できるようにスリーブカバーを貫通させ、その下部は回転できるように前記スリーブカバーの下に位置するようにしたことを特徴とする請求項５に記載の注射用パウダーを自動的に混合する機械。
【請求項７】
前記第２のプレススリーブはスライドできるように前記溶媒瓶スリーブの内周と接続し、前記第１のプレススリーブはスライドしてから回転できるように前記溶媒瓶スリーブの内周と接続するようにしたことを特徴とする請求項４に記載の注射用パウダーを自動的に混合する機械。
【請求項８】
前記急降溝は前記転向部と隣接するようにしたことを特徴とする請求項２に記載の注射用パウダーを自動的に混合する機械。
【請求項９】
溶媒瓶の溶媒が全て溶質瓶に入ったかどうかを観察するため、前記溶媒瓶スリーブには観察口が設置されるようにしたことを特徴とする請求項４に記載の注射用パウダーを自動的に混合する機械。
【請求項１０】
前記溶媒瓶はクリップ式の瓶で、前記溶媒瓶には溶媒瓶を密封することができるスライド式のプレス栓が設置され、前記スプリングスリーブの底面は前記クリップ式の瓶の上面にもたれ、プレスバーは前記プレス栓の上面にもたれるようにしたことを特徴とする請求項５に記載の注射用パウダーを自動的に混合する機械。
【発明の詳細な説明】
【技術分野】
【０００１】
本発明は注射器に関する、とくに一種の注射用パウダーを自動的に混合する機械に関する。
【背景技術】
【０００２】
本発明者は２００５年９月１４日付で、発明の名称を‘注射用パウダーを自動的に混合する注射器’という中国特許を出願し、２００６年５月１７日付で公開した。前記注射用パウダーを自動的に混合する注射器は、溶媒瓶、溶質瓶、針カバー、溶質瓶スリーブ、溶媒瓶スリーブ、回転スリーブ、第１のプレススリーブ、第２のプレススリーブを備え、前記溶質瓶が溶質瓶スリーブの中に設置され、前記溶媒瓶、第１のプレススリーブ、それに第２のプレススリーブが溶媒瓶スリーブの中に設置され、前記回転スリーブは溶媒瓶スリーブの外側とスリーブ接続し、前記溶質瓶スリーブは溶媒瓶スリーブと下から上までつながっている。回転スリーブによって、第１のプレススリーブを第２のプレススリーブとともに別々に第１のプレス制限溝と第２のプレス制限溝に沿って運動させ、針カバーの注射針はまず溶質瓶のゴム栓に差し込んで定位してから、溶媒瓶のゴム栓に差し込んで、圧力によって、溶媒瓶の溶媒を溶質瓶に流れ込ませ、薬を自動的に混合する。前記回転スリーブの内壁には第１のプレス制限溝と、第２のプレス制限溝と、それに回転スリーブ定位カードと設置され、第１のプレス制限溝と第２のプレス制限溝は螺旋状或いは角度付きのアーク状である。前記技術方法には以下の不足があり：１）回転スリーブの内壁には高精度の螺旋状或いは角度付きのアーク状の第１のプレス制限溝が第２のプレス制限溝とともに設置されるため、製造するのが非常に複雑で、高コストである、２）溶質瓶スリーブ、溶媒瓶スリーブ、回転スリーブがあって、スリーブ体が多いため、構造は複雑で、組み合わせるのは不便利である。
【発明の概要】
【発明が解決しようとする課題】
【０００３】
本発明の目的は、製造するのは複雑で、高コストで、構造が複雑で、組み合わせるのが不便利であるという従来技術の問題を解決して、一種の注射用パウダーを自動的に混合する機械を提供することである。
【課題を解決するための手段】
【０００４】
本発明は以下の技術手段を採用することにより、上記課題を解決する。注射用パウダーを自動的に混合する機械は、注射器本体、溶媒瓶、注射針、第１のプレス機構、第２のプレス機構を備え、注射器本体は溶質瓶を備え、前記溶質瓶の瓶口は前記溶媒瓶の瓶口と対応する。溶媒瓶を制御して溶質瓶の方へスライドさせるために、前記第１のプレス機構が溶媒瓶の上に設置される。前記第２のプレス機構は、前記溶媒瓶の瓶口と前記溶質瓶の瓶口の間に位置し、その中には第1のプレススリーブと第２のプレススリーブを備える。溶媒瓶をプレスすることによって、前記第1のプレススリーブを第２のプレススリーブとともにまず溶質瓶の方へスライドさせ、前記注射針が固定された針カバーを前記注射器本体の針カバーの停止点に埋め込んで固定し、前記注射針の第１端を溶質瓶内へ貫通させてから、前記溶媒瓶によって第１のプレススリーブを第２のプレススリーブに対して回転させて、第２のプレススリーブを第１のプレススリーブに対してスライドさせ、前記注射針の第２端を前記溶媒瓶内へ貫通させる。
【０００５】
前記第２のプレススリーブの底面は下へ突き出て、落下部が設置され、前記第１のプレススリーブの上面は上へ突き出て、転向部が設置される。前記落下部を入れるために、前記上面は下へ凹んで、急降溝が設置される。スライド移動を回転運動にチェンジするため、前記落下部は前記転向部と組み合わせて、転向機構になり、前記落下部は前記転向部の上にもたれ、または回転してから前記急降溝に下ろし、前記第２のプレススリーブを前記第１のプレススリーブに対してスライドさせる。
【０００６】
前記第１のプレス機構には一つの弾性体と一つのスイッチ機構があり、前記スイッチ機構は前記弾性体を制御して、弾性力を放出し、前記弾性力によって、前記溶媒瓶を前記溶質瓶の方へスライドさせる。
【０００７】
前記溶媒瓶の外側を溶媒瓶スリーブにスライドして挿入し、前記溶媒瓶スリーブ内及び前記溶媒瓶の上には一つのスプリングスリーブがスライドして設置され、前記スプリングスリーブの上面には固定板が設置される。前記スイッチ機構には固定板に設置された一つのロック用貫通溝と、前記スプリングスリーブを貫通した一つのプレスバーが設置され、前記プレスバーの底面が前記溶媒瓶の上にもたれ、その上部は裏へ凹んで、スイッチ溝が設置されるが、その下部は外へ突き出て、凸環が設置され、前記凸環と固定板の間で前記プレスバーは弾性体とスリーブ接続される。エネルギーを貯蔵するため、前記プレスバーのスイッチ溝が前記スプリングスリーブのロック用貫通溝にうめこまれ、プレスバーを回転することによって、前記スイッチ溝は前記ロック用貫通溝から離れ、弾性力を放出する。
【０００８】
前記スイッチ機構にはまた一つのノブがあり、前記ノブはプレスバーの上面と回転できないように接合し、前記ノブの底面には上斜面が突き出て、前記スプリングスリーブの上面には下斜面が突き出て、それに、前記ノブの上斜面は前記スプリングスリーブの下斜面と吻合し、そして、その上に位置する。
【０００９】
前記溶媒瓶スリーブの上面はスリーブカバーと着脱自在に接続する。前記ノブの上部は回転できるようにスリーブカバーを貫通し、下部は回転できるように前記スリーブカバーの下に位置する。
【００１０】
前記第２のプレススリーブはスライドできるように前記溶媒瓶スリーブの内周と接続し、前記第１のプレススリーブはスライドしてから回転できるように前記溶媒瓶スリーブの内周と接続する。
【００１１】
前記急降溝は前記転向部と隣接する。
【００１２】
溶媒瓶の溶媒が全て溶質瓶に入ったかどうかを観察するため、前記溶媒瓶スリーブには観察口が設置される。
【００１３】
前記溶媒瓶はクリップ式の瓶で、前記溶媒瓶には溶媒瓶を密封することができるスライド式のプレス栓が設置され、前記スプリングスリーブの底面は前記クリップ式の瓶の上面にもたれ、プレスバーは前記プレス栓の上面にもたれる。
【００１４】
本発明に掲載された薬剤を自動的に混合する機械には、溶媒瓶を溶質瓶の方へスライドするだけで、薬の混合プロセスを完成させ、安全、便利かつスムーズに使用できる。本発明には、多くのスリーブ体を使う必要がなく、それに、高精度の螺旋形或いはアーク形の溝を設置する必要がないため、その構造は簡単で、製造及び組み込みを便利、迅速で、低コストに行える。本発明には弾性体が設置され、弾性力によって、自動的に溶媒瓶の溶媒を溶質瓶に注入させ、操作中に、溶媒瓶と溶質瓶の相対位置を制限する必要がなく、また、溶媒瓶の溶媒を全て利用できる。前記第２のプレススリーブは前記溶媒瓶スリーブの内周とスライドできるように接続し、前記第１のプレススリーブは前記溶媒瓶スリーブの内周とスライドしてから回転できるように接続することによって、前記注射針は次々と溶質瓶、及び溶媒瓶内へと確実に貫通するので、安全、便利、かつスムーズな使用が可能である。
【図面の簡単な説明】
【００１５】
図と実施例を参照しつつ、本発明を以下に詳しく説明する。
【００１６】
【図１】本発明の薬を自動的に混合する機械の断面図を示す。
【図２】本発明の薬を自動的に混合する機械の溶媒瓶、スリーブとそのほかの構造の概要図を示す。
【図３】本発明の薬を自動的に混合する機械の注射器本体、注射針とそのほかの構造の概要図を示し、図２を図３と組み合わせて、薬を自動的に混合する機械の全体断面図を形成する。
【図４】本発明の薬を自動的に混合する機械の第１のプレススリーブの立体図を示す。
【図５】本発明の薬を自動的に混合する機械の第２のプレススリーブの立体図を示す。
【図６】本発明の薬を自動的に混合する機械のスリーブに設置された接続溝の原理図を示す。
【図７】本発明の薬を自動的に混合する機械のプレスバーの立体図を示す。
【図８】本発明の薬を自動的に混合する機械のスプリングスリーブの立体図を示す。
【符号の説明】
【００１７】
１溶質瓶
２溶質瓶スリーブ
３溶媒瓶
４溶媒瓶スリーブ
５第２のプレス機構
６注射針
７第１のプレス機構
２１針カバー
２２針カバーの停止点
３１プレス栓
４１スリーブカバー
５１第１の接続溝
５２第１のプレススリーブ
５３第２の接続溝
５４第２のプレススリーブ
７１ノブ
７２プレスバー
７３スプリングスリーブ
７４弾性体
５１１第１の軸方向のスライド溝
５１２第１の横方向のスライド溝
５２１第１の凸塊
５２２転向部
５２３急降溝
５４１第２の凸塊
５４２落下部
７１１もたれ部
７１２上斜面
７２１スイッチ溝
７２２凸環
７３１ロック用貫通溝
７３２下斜面
【発明を実施するための形態】
【００１８】
注射用パウダーを自動的に混合する機械は、図１と、図２と、それに図３に示すように、注射器本体、溶媒瓶３、溶媒瓶スリーブ４、第１のプレス機構７、第２のプレス機構５、注射針６を備える。前記注射器本体は注射針６と組み合わさって注射器を構成し、その中には、溶質瓶１、溶質瓶の外側とスリーブ接続した溶質瓶スリーブ２、ほかの取り付け具がある。前記溶媒瓶３はクリップ式の瓶で、すなわち、底の付いていない瓶で、溶媒瓶３とを密封することができるスライド式のプレス栓３１が設置される。
【００１９】
図３に示すように、溶質瓶スリーブ２は階段スリーブで、その上部は小さいが、下部は大きい。スリーブの細い部分の上端部には雄ネジ付きのネジ口が設置され、それに、細い部分にはまた二つの針カバーの停止点２２が設置され、前記二つの針カバーの停止点２２には針カバー２１が設置され、前記注射針６は針カバー２１に固定して設置される。
【００２０】
図１と図２に示すように、前記溶媒瓶スリーブ４の下端には雌ネジ付きのネジ口が設置され、前記雌ネジ付きのネジ口は溶質瓶スリーブ２の雄ネジ付きのネジ口にねじ込んで、溶質瓶スリーブ２を溶媒瓶スリーブ４と着脱自在に接続させ、すなわち、注射器本体は溶媒瓶スリーブ４と着脱自在に接続する。要望に応じて、溶媒瓶スリーブ４には観察口が設置され、溶媒瓶の溶媒が全て溶質瓶に入ったかどうかを観察する。
【００２１】
図１と、図２と、それに図3に示すように、溶媒瓶スリーブ４には溶媒瓶３を挿入し、それに溶質瓶１の瓶口は溶媒瓶３の瓶口と対応して、溶質瓶１の瓶口と溶媒瓶３の瓶口の間には第２のプレス機構５が設置され、第２のプレス機構５には第１の接続溝５１と、第１のプレススリーブ５２と、第２の接続溝５３と、それに第２のプレススリーブ５４とが設置される。
【００２２】
図６に示すように、第１の接続溝５１はスリーブ４の内周に設置され、その中には二つの第１の軸方向のスライド溝５１１と二つの第１の横方向のスライド溝５１２が設置され、第１の横方向のスライド溝５１２は第１の軸方向のスライド溝５１１の下口と貫通する。第２の接続溝５３もスリーブ４の内周に設置され、その中には、二つの第１の軸方向のスライド溝がある。
【００２３】
図４に示すように、第１のプレススリーブ５２には、対称の位置にある二つの第１の凸塊５２１が外側に突き出すように設置され、前記第１の凸塊５２１は別々に二つの第１の接続溝５１とスライドできるように接続し、前記第１のプレススリーブ５２を溶媒瓶スリーブ４の内周とスライドしてから回転できるように接続する。前記第１のプレススリーブ５２の上面には上へ突き出て、螺旋状の転向部５２２が設置され、前記第１のプレススリーブ５２の上面にはまた下へ凹んで、急降溝５２３が設置され、前記急降溝５２３は転向部５２２と隣接する。
【００２４】
図５に示すように、第２のプレススリーブ５４には、対称の位置にある二つの第２の凸塊５４１が外側に突き出すように設置され、前記第２の凸塊５４１は別々に二つの第２の接続溝５３（第２の軸方向のスライド溝）とスライドできるように接続し、前記第２のプレススリーブ５４を溶媒瓶スリーブ４の内周とスライドできるように接続する。前記第２のプレススリーブ５４の底面には下へ突き出て、螺旋状の落下部５４２が設置される。
【００２５】
図１と図２に示すように、第１のプレススリーブ５２と第２のプレススリーブ５４は供にスリーブ４の中に設置され、第１のプレススリーブ５２は針カバー２１の上にもたれ、第２のプレススリーブ５４は溶媒瓶３の瓶口の下にもたれる。前記の落下部５４２は転向部５２２と組み合わせて、スライド移動を回転運動にチェンジできる転向機構に形成する。薬剤を混合する前には（以下に述べる薬剤の混合プロセスを参照）、落下部５４２は転向部５２２の上にもたれ、混合中に、第１のプレススリーブ５２は回転できるがスライドできないように転向機構が働き、転向部５２２は落下部５４２に対して回転してから、落下部５４２を急降溝５２３に下ろし、第２のプレススリーブ５４を第１のプレススリーブ５２の方へスライドさせる。
【００２６】
図１と図２に示すように、注射針６は溶質瓶１の瓶口と溶媒瓶３の瓶口の間に位置し、それに、第１のプレススリーブ５２を第２のプレススリーブ５４とともにスライドできるように通す。
【００２７】
図１と図２に示すように、溶媒瓶スリーブ４の上面にはスリーブカバー４２が着脱自在に設置される。前記第１のプレス機構７は溶媒瓶３のプレス栓３１の上に設置され、その中には、一つのノブ７１と、一つのプレスバー７２と、一つのスプリングスリーブ７３と、それに一つの弾性体７４とがある。
【００２８】
図１と図２に示すように、ノブ７１は外へ突き出て、もたれ部７１１を形成し、それに、底面は突き出て、上斜面７１２を形成する。前記ノブ７１をスリーブ４に挿入し、その上部はスリーブカバー４１を下から上まで貫通し、もたれ部７１１はスリーブカバー４１の下表面にもたれるので、ノブ７１がスリーブカバー４１に対して回転でき、それに、ノブ７１がスリーブカバー４１から脱落するのを防ぐことができる。
【００２９】
図１と、図２と、それに図７に示すように、プレスバー７２の本体の横断面は矩形で、その中上部は裏へ凹んで、スイッチ溝７２１を形成し、その下部は外へ突き出て、凸環７２２に形成し、その底部は溶媒瓶３のプレス栓３１の上にもたれる。前記プレスバー７２の上面はノブ７１と回転できないように接続する。
【００３０】
図１と、図２と、それに図８に示すように、スプリングスリーブ７３の上面には固定板が設置され、固定板の上面には下斜面７３２が突き出て設置され、前記上斜面７１２が下斜面７３２と吻合し、その上にもたれる。固定板にはまた矩形のロック用貫通溝７３１が設置され、前記プレスバー７２がスプリングスリーブ７３を貫通し、それに、その上端はロック用貫通溝７３１を貫通する。
【００３１】
図１と図２に示すように、弾性体７４はプレスバー７２とスリーブ接続し、それに、凸環７２２とスプリングスリーブ７３の固定板の間に設置される。エネルギーを貯蔵するために、前記プレスバー７２のスイッチ溝７２１はスプリングスリーブ７３のロック用貫通溝７３１にうめこまれ、プレスバー７２を回転し、前記スイッチ溝７２１を前記ロック用貫通溝７３１から取り外させ、弾性体７４の弾性力を放出する。前記のスイッチ溝７２１は前記ロック用貫通溝７３１と組み合わせて、スイッチ機構を形成する。前記スプリングスリーブの底面はクリップ式の瓶の上面にもたれ、プレスバーはプレス栓の上面にもたれる。
【００３２】
薬剤を混合するプロセスを以下に示す。
【００３３】
１）ノブ７１を回転させると、ノブ７１の上斜面７１２はスプリングスリーブ７３の下斜面７３１と対応しているため、スプリングスリーブ７３に下向きのプレス力を与えて、前記プレス力によって、溶媒瓶３（クリップ式の瓶）を下へスライドさせ（溶質瓶１の方へスライドする）、同時に、ノブ７１をある角度に回転し、プレスバーの矩形断面の長さと矩形ロック用貫通溝７３１の長さとを同じにすると、スイッチ溝７２１がスプリングスリーブ７３のロック用貫通溝７３１から脱出し、弾性体７４は弾性エネルギーを放出し、弾性力によって、プレスバー７２を下へスライドさせ、プレスバー７２によってプレス栓３１を押して、クリップ式の瓶に対して下へスライドさせ、前記クリップ式の瓶の空気はより高い気圧になって、いったん気圧がある程度に達すると、前記弾性力によって、プレス栓３１をクリップ式の瓶とともに下へスライドさせ、前記第１の軸方向のスライド溝５１１と第２の軸方向のスライド溝によって、第１のプレススリーブ５２を第２のプレススリーブとともに下へスライドさせ、第１のプレススリーブ５２によって、針カバーの停止点２２の上に設置された針カバー２１を下へ押して、針カバー２１を注射器本体の針カバーの停止点２２に埋め込んで固定し、注射針６の下端を溶質瓶１の瓶栓に差し込んで、溶質瓶１内へ貫通させる。
【００３４】
２）いったん第１のプレススリーブ５２が第１の横方向のスライド溝５１２までスライドすると、ノブ７１を回転させ続け、溶媒瓶３を続いて下へスライドさせ（溶質瓶１の方へスライドし続ける）、転向機構によって、第１のプレススリーブ５２を第２のプレススリーブ５４２に対して回転させてから、落下部５４２が急降溝５２３に下して、第２のプレススリーブ５４２は第１のプレススリーブ５２に対して下へスライドし、溶媒瓶３も下へ移動して、注射針６の上端を溶媒瓶３の瓶栓に差し込んで、溶媒瓶３内へ貫通させると同時に、弾性体によってプレス栓３１を押して、溶媒瓶の溶媒をプレスして、溶質瓶に注入する。
【００３５】
３）溶媒瓶スリーブ４から注射器本体を取り外す。前記注射器本体には注射針が付いていて、一つの完全な注射器でもある。
【００３６】
本発明のほかの部材構造は本発明者が２００５年９月１４日付で出願した、‘注射用パウダーを自動的に混合する機械’という名称の発明出願を参照してください。
【００３７】
以上のように、本発明でただ二つの好ましい実施例を開示したが，本発明のデザインアイディアはこれに限定されるものではなく，当業者が，本発明のアイディアと範囲に基づいて色々変形させることは可能であり，それらは本発明の請求項の保護範囲から排除するものではない。
【産業上の利用可能性】
【００３８】
本発明の注射用パウダーを自動的に混合する機械は、便利、迅速、安全に使用でき、かつ、構造は簡単で、製造及び組み込みを便利、迅速で、低コストに行うことができ、優れた工業実用性がある。
【図３】
0005450100.tif 000002
【図４】
0005450100.tif 000003
【図５】
0005450100.tif 000004
【図６】
0005450100.tif 000005
【図７】
0005450100.tif 000006
【図８】
0005450100.tif 000007
【図１】
0005450100.tif 000008
【図２】
0005450100.tif 000009